(57)【要約】  【課題】  一定の水量で水を供給することが可能であり、また生ごみをスムーズに搬送槽及び生ごみ処理機へ送り出すことが可能なディスポーザを提供することにある。  【解決手段】  傾斜部２１を有するホッパー２に水を供給する給水部７を設け、一定化手段７６により、給水部７から供給する水の単位時間当たりの水量を一定化するよう構成した。また、給水部７に接続され、ホッパーの傾斜部２１に向けて水を散布する散布手段２２を設けた。【選択図】      図３
2007075803.tif 000002
【特許請求の範囲】
【請求項１】
生ごみを破砕部により破砕するディスポーザにおいて、
前記破砕部上部に設けられる生ごみ投入口と、
該投入口へ生ごみを導く傾斜部を有するホッパーと、
該ホッパーに水を供給する給水部と、
該給水部が供給する水の単位時間当たりの水量を一定化する一定化手段と
を備えることを特徴とするディスポーザ。
【請求項２】
前記給水部は、開閉可能な給水弁を備え、
前記一定化手段は、
前記給水部が供給する水の単位時間当たりの水量を検出する水量検出センサと、
該水量検出センサが検出する水量が予め定めた水量となるまで、前記給水弁を開制御する弁制御手段と
を備えることを特徴とする請求項１に記載のディスポーザ。
【請求項３】
生ごみを破砕部により破砕するディスポーザにおいて、
前記破砕部上部に設けられる生ごみ投入口と、
前記投入口へ生ごみを導く傾斜部を有するホッパーと、
前記ホッパーに水を供給する給水部と、
該給水部が供給する水の単位時間当たりの水量を検出する水量検出センサと
を備えることを特徴とするディスポーザ。
【請求項４】
前記給水部に接続され、前記ホッパーの傾斜部に向けて水を散布する散布手段
をさらに備えることを特徴とする請求項１乃至３のいずれか一つに記載のディスポーザ。
【請求項５】
前記散布手段は、
前記ホッパーの開口に周設されていることを特徴とする請求項４に記載のディスポーザ。
【発明の詳細な説明】
【技術分野】
【０００１】
本発明は、生ごみを破砕するディスポーザに関し、特に生ごみと共に供給される水の水量を一定化するディスポーザに関する。
【背景技術】
【０００２】
近年、一般家庭において日々発生するゴミの減量が社会的な課題となっており、この課題を解決するための一つの手段として、主として厨房の周りに発生する生ごみを分解処理する生ごみ処理機が種々提案されている。
【０００３】
この生ごみ処理機での処理効率を向上させるために、ディスポーザにより事前に生ごみを細かく破砕する技術が開示されている（例えば特許文献１参照）。生ごみはホッパーに水と共に投入され、投入口を経て破砕部に導入され、該破砕部中の回転歯により、細かく破砕される。破砕後の生ごみは搬送槽を経て生ごみ処理機側へ搬送され、様々な方式により、生ごみの処理が実行されることになる。生ごみのホッパーへの投入時は、生ごみをスムーズに搬送槽及び生ごみ処理機へ送り込むために、給水が同時に行われる。
【特許文献１】特開２００４−１０５８８１号公報
【発明の開示】
【発明が解決しようとする課題】
【０００４】
しかしながら、大量の水が生ごみ投入時に供給された場合、生ごみ処理機側へも大量の水が供給され、生ごみの分解処理に悪影響を及ぼすことになるという問題があった。また、ホッパー傾斜部には生ごみ投入時に生ごみが付着しやすく、使用者が生ごみ投入時に給水部を操作して、傾斜部に付着した生ごみを洗い流さなければならないという問題もあった。
【０００５】
本発明は斯かる事情に鑑みてなされたものであり、本発明の目的は、給水部から供給される水の単位時間当たりの水量を一定化する一定化手段を設けることにより、一定の水量を供給することが可能であり、生ごみをスムーズに搬送槽及び生ごみ処理機へ送り出すことが可能なディスポーザを提供することにある。
【０００６】
また、本発明の目的は、給水部から供給される水の単位時間当たりの水量を検出する水量検出センサを設けることにより、使用者が水量を容易に確認することができるディスポーザを提供することにある。
【０００７】
また、本発明の目的は、ホッパーの傾斜部に向けて水を散布する散布手段を設けることにより、傾斜部に付着する生ごみを容易に投入口へ流し込むことが可能なディスポーザを提供することにある。
【課題を解決するための手段】
【０００８】
本発明にかかるディスポーザは、生ごみを破砕部により破砕するディスポーザにおいて、前記破砕部上部に設けられる生ごみ投入口と、該投入口へ生ごみを導く傾斜部を有するホッパーと、該ホッパーに水を供給する給水部と、該給水部が供給する水の単位時間当たりの水量を一定化する一定化手段とを備えることを特徴とする。
【０００９】
本発明にあっては、傾斜部を有するホッパーに水を供給する給水部を設ける。そして、一定化手段により、給水部から供給する水の単位時間当たりの水量を一定化するよう構成したので、ホッパーへ最適な水量が供給される。その結果生ごみ処理機側に大量の水が送り出されるという事態を回避できる。
【００１０】
本発明にかかるディスポーザは、前記給水部は、開閉可能な給水弁を備え、前記一定化手段は、前記給水部が供給する水の単位時間当たりの水量を検出する水量検出センサと、該水量検出センサが検出する水量が予め定めた水量となるまで、前記給水弁を開制御する弁制御手段とを備えることを特徴とする。
【００１１】
本発明にあっては、給水部には、開閉可能な給水弁が設けられる。一定化手段として、水量検出センサ及び弁制御手段が設けられる。水量検出センサは、給水部から供給される水の単位時間当たりの水量を検出する。そして、弁制御手段が、水量検出センサが検出した水量が予め定めた水量となるまで、給水弁を制御するので、一定水量の水を安定して供給することが可能となる。
【００１２】
本発明にかかるディスポーザは、生ごみを破砕部により破砕するディスポーザにおいて、前記破砕部上部に設けられる生ごみ投入口と、前記投入口へ生ごみを導く傾斜部を有するホッパーと、前記ホッパーに水を供給する給水部と、該給水部が供給する水の単位時間当たりの水量を検出する水量検出センサとを備えることを特徴とする。
【００１３】
本発明にあっては、給水部から供給される水の単位時間当たりの水量を検出する水量検出センサを設けたので、使用者はこの水量検出センサで水量を確認しながら、最適な給水を行うことが可能となる。
【００１４】
本発明にかかるディスポーザは、前記給水部に接続され、前記ホッパーの傾斜部に向けて水を散布する散布手段をさらに備えることを特徴とする。
【００１５】
本発明にあっては、給水部に接続され、ホッパーの傾斜部に向けて水を散布する散布手段を設けたので、ホッパー傾斜部にくまなく水が供給され、生ごみの付着を防止することが可能となる。
【００１６】
本発明にかかるディスポーザは、前記散布手段は、前記ホッパーの開口に周設されていることを特徴とする。
【００１７】
また、本発明にあっては、ホッパーの開口に周設された散布手段からホッパー全体に適量の水を供給し、ホッパー表面への生ごみの付着を効果的に防止する。
【発明の効果】
【００１８】
本発明にあっては、一定化手段により、給水部から供給する水の単位時間当たりの水量を一定化するよう構成したので、生ごみ処理機側に大量の水が送り出されるという事態を回避できる。
【００１９】
本発明にあっては、給水部に開閉可能な給水弁を設け、一定化手段として水量検出センサ及び弁制御手段を設ける。水量検出センサにより、給水部から供給される水の単位時間当たりの水量が検出され、また弁制御手段により、水量検出センサが検出した水量が予め定めた水量となるまで、給水弁を開制御するので、一定水量の水を安定して供給することが可能となる。
【００２０】
本発明にあっては、給水部から供給される水の単位時間当たりの水量を検出する水量検出センサを設けたので、簡単な構成で使用者はこの水量検出センサで水量を確認しながら、最適な給水を行うことが可能となる。
【００２１】
本発明にあっては、ホッパーの傾斜部に向けて水を散布する散布手段を設けたので、ホッパー傾斜部にくまなく水が供給され、生ごみの付着を防止することが可能となる。さらに、ホッパー開口に散布手段を周設した場合、より効率よく付着した生ごみを流すことが可能となる等、優れた効果を奏する。
【発明を実施するための最良の形態】
【００２２】
実施の形態１
以下本発明をその実施の形態を示す図面に基づいて詳述する。
図１は、ディスポーザの概要を示す模式的斜視図、図２はディスポーザを上部から見た平面図、図３はディスポーザの断面構造を示す模式的断面図である。
【００２３】
図１に示すように、ディスポーザ１は直方体状の筐体を有し、上部に生ごみを投入するホッパー２、ホッパー２の一部を開閉自在に覆う開閉蓋６、生ごみの移動を容易にすべく水を供給する給水部７、給水配管７１、一定化手段７６、制御部８２（図３に示す）、オーバーフロー管７４、水供給管７５及びディスポーザ１を駆動する電源を供給する分電盤９を備える。また、ディスポーザ１の稼働状態及び開閉蓋６の開閉状態を示す表示パネル８及び操作パネル８１が筐体側面に配置されている。
【００２４】
ディスポーザ１を稼働させる場合、分電盤９の電源をオンとし、開閉蓋６を閉状態とする。次いで、水量を一定化する一定化手段７６に連結される給水部７から、水を供給しつつ生ごみをホッパー２に流し込む。なお、本実施の形態においてはディスポーザ１の筐体の形状を直方体状としたが、この形状に限るものではなく、円柱状のものであっても良い。
【００２５】
図２の平面図及び図３の断面図に示されるように、ホッパー２は平面視において正方形であり、その断面は生ごみを投入口４へ導くべく、投入口４の方向へ向けて傾斜する傾斜部２１により構成される。ホッパーは例えばステンレススチール等が用いられ、生ごみが円滑に投入口へ流れるよう、傾斜部２１の傾斜角度が決定される。傾斜部２１はホッパー２の最下面において、円形断面を有する投入口４に接続されている。
【００２６】
投入口４を経た生ごみは破砕部３へ水と共に落下する。破砕部３は、複数の歯を有する回転歯３１、回転歯３１を回転させるモータＭ、並びに、水及び破砕後の生ごみを外部へ導く排出口５から構成される。回転歯３１はモータＭにより高速回転し、落下した生ごみを細かく破砕する。水及び破砕された生ごみは遠心力により回転歯３１の外周へ飛散し、最終的には排出口５を経てディスポーザ１外部へ排出される。排出口５から排出された水及び生ごみは、搬送槽（図示せず）へ流れ込み、次いで生ごみ処理機本体（図示せず）へ搬送される。
【００２７】
開閉蓋６は例えばステンレススチールからなり、平面視において矩形状をなし側面視においてコの字型の形状をなし、両短辺においてホッパー２の周縁に接触するよう架設されている。開閉蓋６の短辺側の一端にはハンドル６１が取り付けられており、他端には開閉蓋６の回動中心となるヒンジ部６２が設けられている。開閉蓋６を開ける場合は、ハンドル６１を把持し、ヒンジ部６２を中心とした円運動により開閉蓋６を持ち上げる。
【００２８】
制御部８２はメモリに格納された制御プログラムに従い、モータＭの制御を行う。操作パネル８１は図１に示すように「運転」、「停止」及び「非常停止」ボタンを備え、各ボタンからの入力信号は制御部８２に出力される。使用者はディスポーザ１を稼働させる場合、「運転」ボタンを押し、稼働を終了する場合、「停止」ボタンを押す。また事故、生ごみのつまり等により、緊急にディスポーザ１を停止させる場合は、「非常停止」ボタンを押す。
【００２９】
表示パネル８は図１に示すように「電源」ランプ、「運転」ランプ及び「スタンバイ」ランプを備える。分電盤９からディスポーザ１へ電力が供給されている場合、「電源」ランプが点灯する。「運転」ランプはディスポーザ１が稼働中である場合に点灯し、「スタンバイ」ランプは開閉蓋６が閉状態にある場合に点灯する。開閉蓋６の開閉状態は図示しない検知センサにより検出される。開閉状態を示す信号は検知センサから制御部８２へ出力される。操作パネル８１の「運転」ボタンの押信号が入力された場合、制御部８２は検知センサから出力される信号が、閉状態であるか否かを判断する。閉状態である場合、すなわち開閉蓋６が閉じている場合は、制御部８２はモータＭを駆動し、生ごみの破砕を開始する。一方、制御部８２が、検知センサから出力される信号が閉状態でないと判断した場合、すなわち開閉蓋６が閉じられていない場合、モータＭの駆動を行わない。
【００３０】
図１及び図３に示すように、給水部７は、給水弁７２及び給水配管７１を含んで構成され、該給水部７は一定化手段７６に連結されている。給水部７には手動または電動により開閉可能な給水弁７２が設けられており、給水弁７２を開状態にすることで、後述する形態を有する一定化手段７６からの水を、給水配管７１へと導く。給水配管７１は一端が給水弁７２に取り付けられ、他端は開閉蓋６を貫通して取り付けられている。
【００３１】
給水配管７１の他端にはホッパー２の傾斜部２１へ向けて水を散布する散布手段２２（以下、シャワー２２）が連結されている。シャワー２２は傾斜部２１に均等に水を散布すべく、投入口上方に位置するよう取り付けられている。
【００３２】
一定化手段７６は、水槽７３，オーバーフロー管７４、水供給管７５、ボールタップ７９，浮き球７８により構成される。水槽７３内には、水供給管７５から水が供給される。水槽７３内には、その内部に供給される水の水面に浮かぶ浮き玉７８が設けられ、該浮き玉７８の上下動に応じて機械的に開閉される公知のボールタップ７９が水供給管７５に付設されている。水槽７３の内水位は、ボールタップ７９の開閉動作により水供給管７５からの給水を通断することにより一定に維持されている。
【００３３】
水槽７３上方の適宜の位置には内水位が必要以上に上昇した場合に、水槽７３外部へ内部の水を強制的に排水するオーバーフロー管７４が取り付けられている。水槽７３下方の適宜の位置には水槽７３内の水を給水配管７１へ供給する給水弁７２が取り付けられている。生ごみを投入する場合、使用者がこの給水弁７２を手動により開状態とするか、または図示しないモータによってこの給水弁７２を開状態とすることにより、水槽７３内の水が給水配管７１を経由してシャワー２２へと導かれる。
【００３４】
水槽７３内の内水位の低下により、浮き球７８は沈み、これによりボールタップ７９が開状態となり、水供給管７５から水が供給される。給水弁７２が手動または電動により閉状態とされた場合、給水配管７１への水の供給は停止される。また、水槽７３の内水位の上昇に伴い浮き球７８が上昇する結果、ボールタップ７９は閉状態となり水供給管７５からの水の供給も停止する。このように一定化手段７６により、水位を一定とすることで、一定水圧下、単位時間あたり一定の水を供給することができ、図示しない搬送槽及び生ごみ処理機本体に必要以上の水が供給されるという事態を防止することが可能となる。
【００３５】
実施の形態２
実施の形態２は散布手段２２をホッパー２の開口に周設した形態である。図４は実施の形態２に係るディスポーザ１を模式的に示した模式的斜視図、図５は散布手段２２を示す拡大図、図６は実施の形態２に係るディスポーザ１の断面構造を示す模式的断面図である。実施の形態２に係る散布手段２２（シャワー２２）はホース２２２及び散布穴２２１を含んで構成される。
【００３６】
環状のホース２２２はホッパー２開口の周囲に、同開口４隅に設置される支持部材２２３，２２３，２２３，２２３により支持されて周設されている。ホース２２２には、複数の散布穴２２１，２２１，２２１・・・が形成されており、ホース２２２内を循環する水は、散布穴２２１から傾斜部２１へ向けて流れ出す。給水配管７１は筐体側面を貫通して、終端においてホース２２２に連結されており、一定化手段７６からの水をホース２２２に供給する。
【００３７】
ホッパー２の開口周囲に沿うホース２２２の上方には、フラップ２２４が周設されている。フラップ２２４は樹脂等により形成されており、ホッパー２開口に固着される。なお、フラップ２２４はホッパー２と同素材としてもよい。フラップ２２４は傾斜部２１がなす傾斜角と同じか、図６に示す如くそれよりも急角度となるよう構成されており、フラップ２２４上に生ごみが落下した場合でもホッパー２の傾斜部２１へこれを落とし込むことができるようになっている。また、生ごみの投入時に、生ごみがホース２２２に接触して、ホース２２２が滑落するという事態を防止することができる。
【００３８】
本実施の形態２は以上の如き構成としてあり、その他の構成及び作用は実施の形態１と同様であるので、対応する部分には同一の参照番号を付してその詳細な説明を省略する。
【００３９】
実施の形態３
図７は実施の形態３に係るディスポーザ１の断面構造を示す模式的断面図である。給水部７は、給水配管７１の一端が給水弁７２に取り付けられて垂設され、他端から水がホッパー２の傾斜部２１へ供給される。なお、本実施の形態においては散布手段２２の記載を省略したが、実施の形態１または２で記載したものを適用しても良いことはもちろんである。
【００４０】
水供給管７５と給水弁７２との間には単位時間あたりの水量を検出する水量検出センサＳが取り付けられている。この水量検出センサＳは内部の浮遊するフロートＳＦの移動量により水量を検知する公知の簡易水量計等を用いればよい。使用者は、予め水供給管７５上流に設けられる元栓Ｒを開いておき、生ごみの投入と共に給水弁７２を徐々に開く。給水弁７２の開度に応じて、単位時間あたりの水量は増加し、水量検出センサＳのフロートＳＦも移動する。使用者には予め適正水量を伝えておき、フロートＳＦがその適正水量を指すまで給水弁７２を開かせる。これにより、簡易な構成で一定の水量を供給することが可能となる。
【００４１】
本実施の形態３は以上の如き構成としてあり、その他の構成及び作用は実施の形態１及び２と同様であるので、対応する部分には同一の参照番号を付してその詳細な説明を省略する。
【００４２】
実施の形態４
実施の形態４は給水弁７２を制御する弁制御手段を設けた構成に関する。図８は実施の形態４に係るディスポーザ１の断面構造を示す模式的断面図である。実施の形態４にかかる一定化手段７６は弁制御手段ＳＣ、入力部ＳＣ１、給水弁７２及び水量検出センサＳを含んで構成される。水供給管７５と給水弁７２との間には単位時間あたりの水量を検出する水量検出センサＳが取り付けられている。水量検出センサＳは流量に比例した電気信号を出力する公知のフローセンサ等が用いられる。水量検出センサＳはロータＳ１、磁気センサＳ２及び出力部Ｓ３を含んで構成される。
【００４３】
流路中にはロータ（タービン翼）Ｓ１が設けられており、水量に比例した回転運動を行う。このロータＳ１外周には永久磁石が埋設されており、磁気センサＳ２はこのロータＳ１の回転数を検知する。出力部Ｓ３はアナログ出力及び接点出力を装備し、検知した回転数（水量）に比例した電気信号を弁制御手段ＳＣへ出力する。弁制御手段ＳＣは水量検出センサＳから出力される電気信号に応じて給水弁７２の開閉制御を行う。弁制御手段ＳＣには使用者から水の供給開始または終了指示を受け付ける入力部ＳＣ１が接続されており、入力部ＳＣ１は供給開始または終了を示す信号を弁制御手段ＳＣへ出力する。
【００４４】
図９は弁制御手段ＳＣによる給水弁７２の開閉制御の手順を示すフローチャートである。弁制御手段ＳＣは入力部ＳＣ１から水の供給を開始する旨の信号を受け付けた場合（ステップＳ９１）、閉状態にある給水弁７２を少しずつ開いていく（ステップＳ９２）。そして、弁制御手段ＳＣは内部のメモリに予め記憶された適正水量と、水量検出センサＳから出力される水量とを比較してこれが一致するようフィードバック制御を行う。すなわち、弁制御手段ＳＣは、メモリに予め記憶された適正水量と、水量検出センサＳから出力される水量とを比較し現在の水量が所定水量以下であるか否かを判断する（ステップＳ９３）。
【００４５】
弁制御手段ＳＣが所定水量以下であると判断した場合（ステップＳ９３でＹＥＳ）、ステップＳ９２へ移行し、給水弁７２をさらに開く。一方弁制御手段ＳＣが所定水量以下でないと判断した場合（ステップＳ９３でＮＯ）、給水弁の開度を固定する（ステップＳ９４）。そして、入力部ＳＣ１から終了信号を受け付けた場合（ステップＳ９５）、弁制御手段ＳＣは給水弁７２を閉じる（ステップＳ９６）。このように弁制御手段ＳＣの制御により、ディスポーザ１へ一定の水量を供給することが可能となる。
【００４６】
本実施の形態４は以上の如き構成としてあり、その他の構成及び作用は実施の形態１乃至３と同様であるので、対応する部分には同一の参照番号を付してその詳細な説明を省略する。
【図面の簡単な説明】
【００４７】
【図１】ディスポーザの概要を示す模式的斜視図である。
【図２】ディスポーザを上部から見た平面図である。
【図３】ディスポーザの断面構造を示す模式的断面図である。
【図４】実施の形態２に係るディスポーザを模式的に示した模式的斜視図ある。
【図５】散布手段を示す拡大図である。
【図６】実施の形態２に係るディスポーザの断面構造を示す模式的断面図である。
【図７】実施の形態３に係るディスポーザの断面構造を示す模式的断面図である。
【図８】実施の形態４に係るディスポーザの断面構造を示す模式的断面図である。
【図９】弁制御手段による給水弁の開閉制御の手順を示すフローチャートである。
【符号の説明】
【００４８】
１      ディスポーザ
２      ホッパー
３      破砕部
４      投入口
６      開閉蓋
７      給水部
２１    傾斜部
７２    給水弁
７６    一定化手段
２２    散布手段（シャワー）
Ｓ      水量検知センサ
ＳＣ    弁制御手段
【図１】
2007075803.tif 000003
【図２】
2007075803.tif 000004
【図３】
2007075803.tif 000005
【図４】
2007075803.tif 000006
【図５】
2007075803.tif 000007
【図６】
2007075803.tif 000008
【図７】
2007075803.tif 000009
【図８】
2007075803.tif 000010
【図９】
2007075803.tif 000011